(57)【特許請求の範囲】
【請求項１】
配線器具の取り付け孔を有する樹脂製の配線器具取り付け部材に取り付けられて配線器具取り付け部材の位置を探知するのに用いられる探知用取り付け部材であって、所定間隔離して設けられ前記取り付け孔に取着される一対の取着部と、上記取着部間を連結しその中間に磁石保持部を設けた連結部と、連結部の磁石保持部に保持される磁石とを具備し、前記連結部の磁石保持部に弾性変形可能な遊離片を設けると共に遊離片に係止爪を磁石保持部の内方に突出するように設け、磁石保持部内に納めた磁石に係止爪を係止することによって磁石保持部に磁石を着脱自在に保持して成ることを特徴とする探知用取り付け部材。
【発明の詳細な説明】
【０００１】
【発明の属する技術分野】
本発明は、壁裏に配設される樹脂製の配線器具取り付け部材（例えばスイッチボックスのような配線器具用ボックス）の位置を探知するために取り付けられる探知用取り付け部材に関するものである。
【０００２】
【従来の技術】
この種の樹脂製の配線器具取り付け部材の探知用取り付け部材としては、例えば実開昭６２−７４４３０号公報に開示されるものがある。この探知用取り付け部材Ａ′は図７、図８に示すように配線器具取り付け部材１としての配線器具用ボックス１ａの一対の取り付け孔２に取着する取着部３と、配線器具用ボックス１ａの開口部に亙ると共に上記取着部３間を連結する連結部４と、連結部４の中央に設けられた磁石保持部５と、磁石保持部５に保持された磁石６とを具備している。配線器具用ボックス１ａの取り付け孔２は雌ねじ孔であり、ボス７に穿孔してある。取着部３はボス７の端面及び外面に沿って被嵌される有底半円筒状の支持部３ａと取り付け孔２に挿入し得る挿入軸３ｂとで構成されており、支持部３ａに挿入軸３ｂを一体に設けてある。
【０００３】
上記スイッチボックスのような配線器具用ボックス１ａは内装材としての壁材８を貼る前に壁体の適所に配置され、必要に応じて配線器具用ボックス１ａが壁体の下地材に固定され、壁体内に配線したケーブルが配線器具用ボックス１ａ内に通線される。そして取着部３を取り付け孔２に取着して上記探知用取り付け部材Ａ′が配線器具用ボックス１ａの開口部に取り付けられ、探知用取り付け部材Ａ′を取り付けた後、壁体に内装材としての壁材８が貼られる。壁材８を貼った後、配線器具用ボックス１ａにスイッチやコンセントを設ける場合、壁材８の室内側から探知装置にて探知用取り付け部材Ａ′の磁石６の位置を探知し、図９に示すようにホールソー９にて壁材８の配線器具用ボックス１ａに対応する位置に穴１０が明けられる。そしてこの穴１０にて壁材８に配線器具用ボックス１ａと対応する開口が形成されると共に探知用取り付け部材Ａ′が取り外された後、配線器具用ボックス１ａの取り付け孔２にねじを螺入することで器具取り付け枠が取り付けられ、器具取り付け枠にコンセントやスイッチ等の配線器具が取り付けられると共にケーブルがコンセントやスイッチ等の配線器具に接続され、壁材８の開口に化粧プレート枠や化粧プレートを配置して器具取り付け枠に取り付けられる。
【０００４】
なお、金属の配線器具用ボックスの場合、金属探知で位置が探知できるために上記のような探知用取り付け部材Ａ′を用いる必要がない。
【０００５】
【発明が解決しようとする課題】
ところが、上記従来例の探知用取り付け部材Ａ′は磁石保持部５に磁石６が保持されているが、磁石６が取り外しにくく、廃棄するとき磁石６を簡単に取り外して分別廃棄ができないという問題がある。
【０００６】
本発明は上記の点に鑑みてなされたものであり、磁石を容易に取り外して廃棄できる探知用取り付け部材を提供することを課題とするものである。
【０００７】
【課題を解決するための手段】
上記課題を解決するための本発明の請求項１の探知用取り付け部材Ａは、配線器具の取り付け孔２を有する樹脂製の配線器具取り付け部材１に取り付けられて配線器具取り付け部材１の位置を探知するのに用いられるものであって、所定間隔離して設けられ前記取り付け孔２に取着される一対の取着部３と、上記取着部３間を連結しその中間に磁石保持部５を設けた連結部４と、連結部４の磁石保持部５に保持される磁石６とを具備し、前記連結部４の磁石保持部５に弾性変形可能な遊離片２０を設けると共に遊離片２０に係止爪２１を磁石保持部５の内方に突出するように設け、磁石保持部５内に納めた磁石６に係止爪２１を係止することによって磁石保持部５に磁石６を着脱自在に保持して成ることを特徴とする。探知用取り付け部材Ａを廃棄するとき、廃棄するとき係止爪２１をカッター等で切り取るか手で遊離片２０を曲げるなどして、磁石６を磁石保持部５から容易に取り外して分解することができ、磁石６を取り外すことで探知用取り付け部材Ａを材料毎に分別して廃棄できる。
【０００８】
【発明の実施の形態】
配線器具取り付け部材１の一例としての配線器具用ボックス１ａは樹脂にて図３に示すように略有底角箱状に形成されるものであって、配線器具用ボックス１ａ内の上部と下部にボス７が設けられ、ボス７には雌ねじ孔よりなる取り付け孔２を穿孔してある。配線器具取り付け部材１の他の例として丸穴カバー１ｂは樹脂にて図４に示すように形成されており、矩形状の基板１５の中央に円筒状の筒部１６を設けてある。この丸穴カバー１ｂの筒部１６には１８０回転対称になるようにボス７を一体に設けてあり、ボス７には雌ねじ孔よりなる取り付け孔２を穿孔してある。配線器具用ボックス１ａの一対の取り付け孔２の間隔より丸穴カバー１ｂの一対の取り付け孔２の間隔の方が狭くなっている。また上記取り付け孔２は後でねじにて器具取り付け枠のような部材を取り付けるためのものである。
【０００９】
この配線器具取り付け部材１に取り付ける探知用取り付け部材Ａは、図１に示すように一対の取着部３と、連結部４と、磁石保持部５と、磁石６とを具備している。探知用取り付け部材Ａは磁石６以外の部分は樹脂製であり、大略細長い長方形状の外観をしている。
【００１０】
取着部３は有底半円筒状に形成せる支持部３ａと支持部３ａと一体の挿入軸３ｂとで形成されている。支持部３ａはボス７の端面に沿う端壁１７とボス７の周囲に沿う側壁１８とで構成されており、端壁１７から挿入軸３ｂを一体に突設してある。取着部３を配線器具用ボックス１の取り付け孔２に取り付ける場合、挿入軸３ｂを取り付け孔２に挿入し支持部３ａの側壁１８をボス７の側面に沿わせると共に端壁１７をボス７の端面に沿わせるようにボス７に支持部３ａを被嵌するようになっている。
【００１１】
連結部４は細長い板状にしてあり、両側に長手方向に亙ってフランジ縁１９を設けてある。連結部４の長手方向の中央には磁石保持部５を設けてあり、この磁石保持部５に磁石６を嵌合して保持してある。この磁石保持部５は円筒状に形成されており、磁石保持部５内に円盤状の磁石６を嵌め込んで取り付けてある。この磁石保持部５には弾性変形可能な遊離片２０を設けてあり、遊離片２０の上端に係止爪２１を内方に突出するように設けてあり、磁石保持部５内に磁石６を納めた状態で係止爪２１が磁石６の上面に係止して磁石６が保持されるようになっている。またこのように遊離片２０の係止爪２１の係止で磁石６が保持されることにより磁石６が着脱自在に保持されるようになっている。
【００１２】
連結部４の取着部３側の端部には略Ｕ字状の係止孔１３を上下に貫通するように穿孔してある。かかる係止孔１３は取り付けねじ１２のねじ軸１２ａは挿通できるが取り付けねじ１２のねじ頭１２ｂを係止できる程度の大きさである。取着部３と係止孔１３との間には取着部３を切り離すための切断補助部１４を設けてある。この切断補助部１４は本例の場合、切り込み溝であり、係止孔１３の両側に設けられ、合計４箇所に設けられている。
【００１３】
配線器具取り付け部材１が配線器具用ボックス１ａの場合、図３に示すように配線器具用ボックス１ａの開口に探知用取り付け部材Ａが配置され、取着部３を取り付け孔２に取着することで取り付けられる。配線器具取り付け部材１が丸穴カバー１ｂの場合、図４に示すように切断補助部１４で取着部３を切り離し、係止孔１３と丸穴カバー１ｂの取り付け孔２とを合致させ、係止孔１３に取り付けねじ１２のねじ軸１２ａを挿通してねじ軸１２ａを取り付け孔２に螺合すると共に係止孔１３にねじ頭１２ｂを係止して探知用取り付け部材Ａを取り付ける。このようにすることで１種類の探知用取り付け部材Ａであっても配線器具用ボックス１ａ、丸穴カバー１ｂという２種類の配線器具取り付け部材１に兼用して取り付けることができる。このように探知用取り付け部材Ａを配線器具取り付け部材１に取り付けた後、壁体に内装材としての壁材が貼られる。壁材を貼った後、配線器具取り付け部材１にスイッチやコンセント等の配線器具を設ける場合、壁材の室内側から探知装置にて探知用取り付け部材Ａの磁石６の位置を探知して配線器具取り付け部材１の位置を探知し、ホールソーにて壁材に配線器具取り付け部材１と対応する位置で穴が明けられる。そしてこの穴にて壁材に配線器具取り付け部材１と対応する開口が形成されると共に上記探知用取り付け部材Ａが取り外された後、配線器具取り付け部材１の取り付け孔にねじを螺入することで器具取り付け枠が取り付けられると共にケーブルがスイッチやコンセント等の配線器具に接続され、壁材の開口に化粧プレート枠や化粧プレートを配置して器具取り付け枠に取り付けられる。配線器具取り付け部材１から外した探知用取り付け部材Ａは繰り返して使用することができる。
【００１４】
また上記探知用取り付け部材Ａを配線器具用ボックス１ａに取り付けるとき、上記の例では挿入軸３ｂを取り付け孔２に挿入し支持部３ａの側壁１８をボス７の側面に沿わせると共に端壁１７をボス７の端面に沿わせるようにボス７に支持部３ａを被嵌したが、これに換えて次のような取り付け方もできる。図５，図６に示すように取着部３の挿入軸３ｂを取り除くと共に端壁１７に穴２２を明け、この穴２２に取り付けねじ１２を挿通し、取り付けねじ１２を配線器具用ボックス１ａの取り付け孔２に螺合することで探知用取り付け部材Ａを取り付けることができる。このように取り付けねじ１２のねじ止めにて取り付けると、探知用取り付け部材Ａを簡単には取り外せなくなり、盗難（いたずら）の防止となる。また探知用取り付け部材Ａの繰り返し使用により挿入軸３ｂ及び周囲の支持部３ａの壁が傷付き、配線器具用ボックス１ａに取り付けたときに固定が緩くなった場合でも挿入軸３ｂを切り取って取り付けねじ１２で固定できるために長く繰り返し使用できる。
【００１５】
探知用取り付け部材Ａが不用になったときに廃棄するが、本発明の探知用取り付け部材Ａは磁石６が磁石保持部５に着脱自在に取り付けてあるために磁石６を取り外し、磁石６とそれ以外の樹脂の部分とに分別して廃棄できる。つまり、廃棄するとき２箇所の係止爪２１をカッター等で切り取るか手で遊離片２０を曲げるなどして磁石６を外して分解できる。
【００１６】
また本発明の探知用取り付け部材Ａの場合、取着部３と連結部４とが取着部３の端壁１７側に偏った位置に連結してあり、探知用取り付け部材Ａを配線器具用ボックス１ａに取り付けたとき磁石６部が配線器具用ボックス１ａ内のスペースの奥に入り込まない。つまり、磁石６部が配線器具用ボックス１ａ内のスペース内でなく開口側に位置する。従ってケーブルの配線スペースを広く確保でき配線しやすくできる。
【００１７】
また探知用取り付け部材Ａは配線器具取り付け部材１と反対色にしてある。本例の場合、配線器具取り付け部材１が黒系の色のために探知用取り付け部材Ａは白系の色（アイボリー）の色にしてある。このように探知用取り付け部材Ａと配線器具取り付け部材１と反対色にしてあると、探知用取り付け部材Ａが配線器具取り付け部材１と区別しやすくて施工性を向上できる。また探知用取り付け部材Ａを白系の色にしてあると、暗くても目立つ。つまり、このような工事の行われる建設現場が暗いが、暗くても探知用取り付け部材Ａが目立つ。また夕方や雨の日で暗くても目立つ。また工事担当者が配線器具取り付け部材１への探知用取り付け部材Ａの取り付け状態を確認する場合もあり、目立つ方がよい。
【００１８】
【発明の効果】
本発明の請求項１の発明は、配線器具の取り付け孔を有する樹脂製の配線器具取り付け部材に取り付けられて配線器具取り付け部材の位置を探知するのに用いられる探知用取り付け部材であって、所定間隔離して設けられ前記取り付け孔に取着される一対の取着部と、上記取着部間を連結しその中間に磁石保持部を設けた連結部と、連結部の磁石保持部に保持される磁石とを具備し、前記連結部の磁石保持部に弾性変形可能な遊離片を設けると共に遊離片に係止爪を磁石保持部の内方に突出するように設け、磁石保持部内に納めた磁石に係止爪を係止することによって磁石保持部に磁石を着脱自在に保持したので、探知用取り付け部材を廃棄するとき、廃棄するとき係止爪をカッター等で切り取るか手で遊離片を曲げるなどして、磁石を磁石保持部から容易に取り外して分解することができ、磁石を取り外すことで探知用取り付け部材を材料毎に分別して廃棄できるものである。
【図面の簡単な説明】
【図１】本発明の探知用取り付け部材を示す斜視図である。
【図２】同上の磁石の保持構造を示す断面図である。
【図３】同上の探知用取り付け部材を配線器具用ボックスに取り付ける状態を示す斜視図である。
【図４】同上の探知用取り付け部材を丸穴カバーに取り付ける状態を示す斜視図である。
【図５】同上の探知用取り付け部材の取着部の挿入軸を切り取って穴を明けた状態を示す斜視図である。
【図６】図５の探知用取り付け部材を配線器具用ボックスに取り付ける状態を示す斜視図である。
【図７】従来例の探知用取り付け部材の斜視図である。
【図８】従来例の探知用取り付け部材を配線器具用ボックスに取り付ける状態を示す斜視図である。
【図９】従来例の壁材に穴を明ける状態を示す斜視図である。
【符号の説明】
Ａ  探知用取り付け部材
１  配線器具取り付け部材
２  取り付け孔
３  取着部
４  連結部
５  磁石保持部
６  磁石
２０  遊離片
２１  係止爪
【図１】
0003637908.tif 000002
【図２】
0003637908.tif 000003
【図３】
0003637908.tif 000004
【図４】
0003637908.tif 000005
【図５】
0003637908.tif 000006
【図６】
0003637908.tif 000007
【図７】
0003637908.tif 000008
【図８】
0003637908.tif 000009
【図９】
0003637908.tif 000010